(57)【特許請求の範囲】
【請求項１】
左右の堰堤本体部の間に上下方向に延びる水路が形成されてこの水路に面する前記両堰堤本体部の内側面に上下方向に延びる溝が形成された砂防堰堤に用いられ、その水路中で土砂を捕捉する土砂捕捉部材であって、
水平方向に延び、その両端部が前記溝の内部に挿入される長さを有し、上下方向に並んで配置された複数本の梁部材と、
前記溝の内部に前記各梁部材の両端部が挿入された状態で当該溝の内部に充填される充填材と
を備えており、
前記梁部材の両端部は、前記梁部材の軸方向から見た場合において上面と下面と前記水路の上流側を向く上流側側面と当該水路の下流側を向く下流側側面を有する矩形の外形形状を有し、
前記充填材は、少なくとも１枚の平板形状の部材によって構成され、
前記充填材は、少なくとも前記梁部材の両端部の前記上流側側面に当接する位置に配置されている、
ことを特徴とする砂防堰堤用土砂捕捉部材。
【請求項２】
前記梁部材は、前記梁部材が前記水路を流れる水流から圧力を受けたときに前記両端部が当該両端部よりも下流側に位置する前記溝の内壁面に接触して当該内壁面から反力を受ける場合の当該反力を受ける補強部材を有する、
請求項１に記載の砂防堰堤用土砂捕捉部材。
【請求項３】
前記溝の内壁面に沿って当該溝に埋め込まれた鋼製の型枠をさらに備えている、
請求項１または２に記載の砂防堰堤用土砂捕捉部材。
【請求項４】
前記充填材は、前記上流側側面に密着する梁部材側密着面と、当該上流側側面に対向する前記溝の内壁面に密着することが可能な溝側密着面とを有する、
請求項１〜３のいずれか１項に記載の砂防堰堤用土砂捕捉部材。
【請求項５】
前記梁部材は、
円形鋼管からなる梁部材本体と、
前記梁部材本体の両端部の周面に取り付けられることにより、前記梁部材の両端部における前記上面、前記下面、前記上流側側面および前記下流側側面を有する矩形の外形形状を構成する外形構成部材と
を備えている、
請求項１〜４のいずれか１項に記載の砂防堰堤用土砂捕捉部材。
【請求項６】
前記外形構成部材は、前記梁部材本体の両端部の上側および下側においてそれぞれ前記水路の上流側および下流側に取り付けられた複数の構成部品を有しており、
各構成部品は、互いに直交する第１面と第２面とを有しており、
前記構成部品の第１面および第２面によって、前記上面、前記下面、前記上流側側面および前記下流側側面が構成される、
請求項５に記載の砂防堰堤用土砂捕捉部材。
【請求項７】
前記構成部品は、前記上面、前記下面、前記上流側側面および前記下流側側面に囲まれた範囲内で、かつ、前記梁部材本体の外側に形成された空間部に配置され、当該空間部を通って異物が前記溝内部へ浸入することを防ぐ閉鎖部を有する、
請求項６に記載の砂防堰堤用土砂捕捉部材。
【請求項８】
前記充填材は、前記梁部材の両端部と前記溝の奥端面との隙間にさらに配置される、
請求項１〜７のいずれか１項に記載の砂防堰堤用土砂捕捉部材。
【請求項９】
前記梁部材が上下に配列された状態で当該梁部材の両端部の間に介在する複数のスペーサをさらに備えており、
前記スペーサは、前記梁部材の軸方向から見た場合において上面と下面と前記水路の上流側を向く上流側側面と前記水路の下流側を向く下流側側面を有する矩形の外形形状を有し、
前記充填材は、少なくとも前記スペーサの前記上流側側面に当接する位置に配置されている、
請求項１〜８のいずれか１項に記載の砂防堰堤用土砂捕捉部材。
【請求項１０】
前記スペーサは、前記梁部材の両端部の上面に載置されている、
請求項９に記載の砂防堰堤用土砂捕捉部材。
【請求項１１】
前記スペーサにおける前記梁部材の両端部に対する水平方向の変位を規制する規制部材をさらに備えている
請求項１０に記載の砂防堰堤用土砂捕捉部材。
【請求項１２】
上下方向に延びる水路を挟んでその左右両側に配置される堰堤本体部を有する堰堤本体と、
請求項１〜１１のいずれか１項に記載の砂防堰堤用土砂捕捉部材と
を備えており、
前記水路に面する前記両堰堤本体部の内側面において、上下方向に延びる溝がそれぞれ形成され、
前記砂防堰堤用土砂捕捉部材の各梁部材の両端部が前記溝にそれぞれ挿入された状態で、当該土砂捕捉部材は、前記水路の内部に配置され、
前記充填材は、少なくとも前記梁部材の両端部の前記上流側側面と前記溝の内壁面との隙間に配置され、
前記梁部材の両端部の前記下流側側面は、前記溝の内壁面に当接している、
ことを特徴とする砂防堰堤。
【請求項１３】
前記溝は、上下方向に延び、互いに対向する上流側の内壁面と下流側の内壁面とを有しており、
前記充填材は、前記上流側側面に密着する梁部材側密着面と、当該上流側側面に対向する前記溝の内壁面に密着する溝側密着面とを有し、
前記充填材は、前記梁部材側密着面が前記上流側側面に密着するとともに前記溝側密着面が当該上流側側面に対向する前記溝の上流側の内壁面に密着した状態で、当該上流側側面と当該溝の上流側の内壁面との隙間を塞ぐ、
請求項１２に記載の砂防堰堤。
【請求項１４】
前記溝の最上部を閉じる蓋をさらに備え、
前記蓋は、前記堰堤本体部の上面に固定されている、
請求項１２または１３に記載の砂防堰堤。
【発明の詳細な説明】
【技術分野】
【０００１】
本発明は、山岳地の渓流・沢等に設置される砂防堰堤における土砂捕捉部材、およびそれを用いた砂防堰堤に関する。
【背景技術】
【０００２】
一般に、梅雨や台風等に伴う集中豪雨により発生する土石流の被害から民家、施設、道路等を守るための手段として、砂防堰堤が多く設置されている。
【０００３】
このような砂防堰堤は、概して不透過型砂防堰堤と透過型砂防堰堤とに大別される。このうち透過型砂防堰堤は、通常時に流れる小礫や泥水は下流側に透過させて不要な堰き止めを回避し、土砂捕捉用の空容量を確保する機能を有する一方、土石流発生時には前記小礫等に先行して流下する巨礫や流木を捕捉して下流側での被害を食い止めるという利点を有している。
【０００４】
このような透過型砂防堰堤として、特許文献１には、コンクリート製の左右一対の堰堤本体部の間に上下方向に延びるスリット状の水路が形成され、この水路の内部に土砂捕捉部材が取り付けられた砂防堰堤が開示されている。この土砂捕捉部材は、水平方向に延びる多数本の梁部材を備えている。梁部材としては、円形断面を有する鋼管、すなわち円形鋼管が用いられている。これらの梁部材の左右両端部は、水路に面する両堰堤本体部の内側面に形成された垂直方向に延びる溝に上方からそれぞれ挿入されており、それぞれが連結部において連結されている。
【０００５】
さらに、溝における水路側に開口する部分は、溝の内部に土砂が侵入しないように、充填材によって塞がれている。
【０００６】
しかし、この充填材は、上記連結部周辺で形状が複雑になり、加工図面の作成に時間がかかると共に、製作ミスが生じ易い。さらに、その製作費が高く、製作期間も長くなる。
【０００７】
そこで、特許文献２記載のように、連結部を溝外に出して溝内の空間の形状を簡単にし、形状を簡略化した充填材を使用することが提案されている。この充填材は、溝内部の空間を埋めるために溝の横断面形状に対応する略直方体のブロック形状を有している。すなわち、この充填材は、溝の奥端面に当接する面と、溝内部の対向する一対の内壁面にそれぞれ当接する面とを有する。また、充填材の上面側および／または下面側には、円形鋼管からなる梁部材の端部に嵌合する半円形の凹部を有している。
【先行技術文献】
【特許文献】
【０００８】
【特許文献１】特開２００７−５６４８８号公報
【特許文献２】特開２０１０−１６８８９１号公報
【発明の概要】
【発明が解決しようとする課題】
【０００９】
しかし、特許文献２に記載されている形状の充填材は、特許文献１記載の充填材に比べて簡単な形状になり、かつ種類も少なくなるものの、依然として当該充填材の半円形の凹部の部分の形状が複雑である。そのため、当該充填材の設計および製造が難しいとともに製造費の低減も難しくなる問題がある。
【００１０】
さらに、上記のような略直方体のブロック形状の充填材では、水路に面する両堰堤本体部の内側面に形成された溝が設計通りの寸法で形成されていない場合には、充填材の形状を溝の内部形状に対応させるように、施工現場において三次元的で複雑な整形が必要となる。
【００１１】
本発明は上記のような事情に鑑みてなされたものであり、充填材の形状が簡単で、設計および製造が容易であり、かつ、施工現場において充填材の複雑な整形を必要としない砂防堰堤用部材およびそれを用いた砂防堰堤を提供することを目的とする。
【課題を解決するための手段】
【００１２】
本発明の土砂捕捉部材は、左右の堰堤本体部の間に上下方向に延びる水路が形成されてこの水路に面する前記両堰堤本体部の内側面に上下方向に延びる溝が形成された砂防堰堤に用いられ、その水路中で土砂を捕捉する土砂捕捉部材であって、水平方向に延び、その両端部が前記溝の内部に挿入される長さを有し、上下方向に並んで配置された複数本の梁部材と、前記溝の内部に前記各梁部材の両端部が挿入された状態で当該溝の内部に充填される充填材とを備えており、前記梁部材の両端部は、前記梁部材の軸方向から見た場合において上面と下面と前記水路の上流側を向く上流側側面と当該水路の下流側を向く下流側側面を有する矩形の外形形状を有し、前記充填材は、少なくとも１枚の平板形状の部材によって構成され、前記充填材は、少なくとも前記梁部材の両端部の前記上流側側面に当接する位置に配置されていることを特徴とする。
【００１３】
かかる構成によれば、梁部材の両端部が矩形の外形形状を有しているので、当該両端部と水路に面する両堰堤本体部の内側面に形成された上下方向に延びる溝との間にできる隙間を埋める充填材は、簡単な平板状の部材で構成することが可能になる。したがって、充填材の設計および製造が容易になり、製造費を低減することが可能になる。
【００１４】
また、この構成では、梁部材の両端部の上面および下面は、他の梁部材の下面および上面が当接し、または場合によってはスペーサなどの介在部材などが当接することにより、梁部材の両端部の上下における隙間をなくすことが可能である。また、梁部材の両端部が上記の溝にそれぞれ挿入された状態では、梁部材の両端部の上流側側面および下流側側面は、溝内部の対向する一対の内壁面と平行に延びるように配置されるので、梁部材の両端部の上流側側面と溝の内壁面という２つの平面の間にできる隙間は、平板形状の部材からなる充填材によって確実に塞ぐことが可能である。そして、梁部材の両端部の下流側側面は溝の内壁面に当接させることによって隙間をなくすことが可能である。
【００１５】
したがって、水路に面する両堰堤本体部の内側面に形成された溝が設計通りに形成されていない場合には、梁部材の両端部の上流側側面と溝の内壁面との隙間の幅に合うように平板形状の充填材の厚さを減じるように充填材を整形すればよいので、充填材の整形作業が容易になる。
【００１６】
また、前記梁部材は、前記梁部材が前記水路を流れる水流から圧力を受けたときに前記両端部が当該両端部よりも下流側に位置する前記溝の内壁面に接触して当該内壁面から反力を受ける場合の当該反力を受ける補強部材を有するのが好ましい。
【００１７】
梁部材が水路を流れる水流から圧力を受けたときに、梁部材の両端部が当該両端部よりも下流側に位置する前記溝の内壁面に接触し、当該内壁面から反力を受ける場合がある。そこで上記の構成によれば、この反力を補強部材によって受けることが可能であり、梁部材の両端部の変形や破損を防ぐことが可能である。そのため、両端部の変形防止のために、応力分散用のクッション材などを梁部材の両端部の下流側に配置する必要がなくなる。また、梁部材の両端部と溝の内壁面との間にクッション材を配置するための隙間が不要になるので、その隙間に充填材を配置する必要もなくなる。
【００１８】
さらに、前記溝の内壁面に沿って当該溝に埋め込まれた鋼製の型枠をさらに備えているのが好ましい。
【００１９】
かかる構成によれば、鋼製の型枠が溝の内壁面に沿って当該溝に埋め込まれているので、コンクリートを打設して溝を有する堰堤本体部を形成する際に、コンクリートの重みを型枠の剛性で受けることによって、型枠が溝の内側に膨らむおそれが低減される。その結果、溝を精度よく形成することが可能である。また、梁部材が水路を流れる水流から圧力を受けたときに、梁部材の両端部は、当該両端部よりも下流側に位置する前記溝の内壁面を覆う鋼製の型枠に接触する。この鋼製の型枠によって、梁部材の両端部から溝の内壁面に作用する荷重は分散されるので、溝の内壁面の破損や損傷を防ぐことが可能である。そのため、溝の内壁面の破損防止のために、応力分散用のクッション材などを梁部材の両端部の下流側に配置する必要がなくなる。また、梁部材の両端部と溝の内壁面との間にクッション材を配置するための隙間が不要になるので、その隙間に充填材を配置する必要もなくなる。
【００２０】
また、前記充填材は、前記上流側側面に密着する梁部材側密着面と、当該上流側側面に対向する前記溝の内壁面に密着することが可能な溝側密着面とを有するのが好ましい。
【００２１】
かかる構成によれば、充填材の梁部材側密着面が梁部材の上流側側面に密着するとともに溝側密着面が当該上流側側面に対向する溝の上流側の内壁面に密着することが可能である。その状態で、充填材は、当該上流側側面と当該溝の上流側の内壁面との隙間を確実に塞ぐことが可能である。
【００２２】
また、前記梁部材は、円形鋼管からなる梁部材本体と、前記梁部材本体の両端部の周面に取り付けられることにより、前記梁部材の両端部における前記上面、前記下面、前記上流側側面および前記下流側側面を有する矩形の外形形状を構成する外形構成部材とを備えているのが好ましい。
【００２３】
かかる構成によれば、梁部材本体の両端部の周面に取り付けられた外形構成部材が梁部材の両端部における上面、下面、上流側側面および下流側側面を有する矩形の外形形状を構成するので、上記の作用効果を奏しながら、梁部材本体として従来の土砂捕捉部材の梁部材に用いられる円形鋼管を利用することが可能である。
【００２４】
さらに、前記外形構成部材は、前記梁部材本体の両端部の上側および下側においてそれぞれ前記水路の上流側および下流側に取り付けられた複数の構成部品を有しており、各構成部品は、互いに直交する第１面と第２面とを有しており、前記構成部品の第１面および第２面によって、前記上面、前記下面、前記上流側側面および前記下流側側面が構成されるのが好ましい。
【００２５】
かかる構成によれば、外形構成部材は、梁部材本体の両端部の４箇所、すなわち、当該上側および下側においてそれぞれ前記水路の上流側および下流側に別々に取り付けられた複数の構成部品を有しているので、各構成部品を小型にすることが可能になる。しかも、各構成部品は、互いに直交する第１面と第２面とを有する簡単な構成にすることが可能である。そのため、各構成部品の製造および梁部材本体への取付作業が容易になる。しかも、構成部品が上記のように梁部材本体の両端部の上側および下側においてそれぞれ上流側および下流側に取り付けられた状態では、これら構成部品の第１面および第２面によって、梁部材の両端部の上面、下面、上流側側面および下流側側面を構成すること可能である。
【００２６】
また、前記構成部品は、前記上面、前記下面、前記上流側側面および前記下流側側面に囲まれた範囲内で、かつ、前記梁部材本体の外側に形成された空間部に配置され、当該空間部を通って異物が前記溝内部へ浸入することを防ぐ閉鎖部を有するのが好ましい。
【００２７】
かかる構成によれば、外形構成部材の各構成部品の閉鎖部によって、梁部材の両端部の上面、下面、上流側側面および下流側側面に囲まれた範囲内で、かつ、梁部材本体の外側に形成された空間部を通って異物が溝内部へ異物の浸入を防ぐことが可能である。
【００２８】
さらに、前記充填材は、前記梁部材の両端部と前記溝の奥端面との隙間にさらに配置されるのが好ましい。
【００２９】
かかる構成によれば、梁部材の両端部と溝の奥端面との隙間に充填材が配置されているので、溝の最上部からこの隙間に土砂等の異物が浸入することを防止することが可能である。また、この充填材が梁部材の両端部を軸方向から支持することによって、梁部材の軸方向への変位を抑制することが可能である。
【００３０】
また、前記梁部材が上下に配列された状態で当該梁部材の両端部の間に介在する複数のスペーサをさらに備えており、前記スペーサは、前記梁部材の軸方向から見た場合において上面と下面と前記水路の上流側を向く上流側側面と前記水路の下流側を向く下流側側面を有する矩形の外形形状を有し、前記充填材は、少なくとも前記スペーサの前記上流側側面に当接する位置に配置されているのが好ましい。
【００３１】
かかる構成によれば、梁部材の両端部の間にスペーサが介在するので、スペーサの高さを選定することにより、梁部材の上下の間隔を任意に設定することが可能である。
【００３２】
しかも、スペーサが矩形の外形形状を有しているので、当該スペーサと溝との間にできる隙間も平板状の部材からなる充填材によって確実に塞ぐことが可能である。
【００３３】
さらに、前記スペーサは、前記梁部材の両端部の上面に載置されているのが好ましい。
【００３４】
かかる構成によれば、スペーサが梁部材の両端部の上面に載置されているだけの構造であるので、スペーサの設置が容易である。また、スペーサを梁部材の両端部に連結するための部材が不要になる。
【００３５】
また、前記スペーサにおける前記梁部材の両端部に対する水平方向の変位を規制する規制部材をさらに備えているのが好ましい。
【００３６】
かかる構成によれば、規制部材によって、スペーサにおける梁部材の両端部に対する水平方向の変位を規制することが可能である。
【００３７】
さらに、本発明の砂防堰堤は、上下方向に延びる水路を挟んでその左右両側に配置される堰堤本体部を有する堰堤本体と、上記の砂防堰堤用土砂捕捉部材とを備えており、前記水路に面する前記両堰堤本体部の内側面において、上下方向に延びる溝がそれぞれ形成され、前記砂防堰堤用土砂捕捉部材の各梁部材の両端部が前記溝にそれぞれ挿入された状態で、当該土砂捕捉部材は、前記水路の内部に配置され、前記充填材は、少なくとも前記梁部材の両端部の前記上流側側面と前記溝の内壁面との隙間に配置され、前記梁部材の両端部の前記下流側側面は、前記溝の内壁面に当接していることを特徴とする。
【００３８】
かかる構成によれば、土砂捕捉部材の梁部材の両端部が矩形の外形形状を有しているので、当該両端部と水路に面する両堰堤本体部の内側面に形成された上下方向に延びる溝との間にできる隙間は、簡単な平板状の部材からなる充填材によって確実に塞ぐことが可能である。すなわち、梁部材の両端部は、上記の溝にそれぞれ挿入され、梁部材の両端部の上流側側面および下流側側面は、溝内部の対向する一対の内壁面と平行に延びるように配置されている。梁部材の両端部の上流側側面と溝の内壁面という２つの平面の間にできる隙間は、平板形状の部材からなる充填材によって確実に塞ぐことが可能である。そして、梁部材の両端部の下流側側面は溝の内壁面に当接しているので、隙間をなくすことが可能である。
【００３９】
しかも、水路に面する両堰堤本体部の内側面に形成された溝が設計通りに形成されていない場合には、梁部材の両端部の上流側側面と溝の内壁面との隙間の幅に合うように平板形状の充填材の厚さを減じるように充填材を整形すればよいので、充填材の整形作業が容易になる。
【００４０】
さらに、前記溝は、上下方向に延び、互いに対向する上流側の内壁面と下流側の内壁面とを有しており、前記充填材は、前記上流側側面に密着する梁部材側密着面と、当該上流側側面に対向する前記溝の内壁面に密着する溝側密着面とを有し、前記充填材は、前記梁部材側密着面が前記上流側側面に密着するとともに前記溝側密着面が当該上流側側面に対向する前記溝の上流側の内壁面に密着した状態で、当該上流側側面と当該溝の上流側の内壁面との隙間を塞ぐのが好ましい。
【００４１】
かかる構成によれば、充填材の梁部材側密着面が梁部材の上流側側面に密着するとともに溝側密着面が当該上流側側面に対向する溝の上流側の内壁面に密着するので、その状態で、充填材は、当該上流側側面と当該溝の上流側の内壁面との隙間を確実に塞ぐことが可能である。
【００４２】
また、前記溝の最上部を閉じる蓋をさらに備え、前記蓋は、前記堰堤本体部の上面に固定されているのが好ましい。
【００４３】
かかる構成によれば、溝の最上部は、蓋によって閉じられているので、溝の最上部から溝へ土砂等の異物が浸入することを抑えることが可能である。
【００４４】
また、蓋は堰堤本体部の上面に固定されているので、水流などの外力によって梁部材に対して上方向の荷重が作用した場合でも、蓋によって梁部材の上方への変位を抑えることが可能である。
【発明の効果】
【００４５】
以上説明したように、本発明の砂防堰堤用土砂捕捉部材およびそれを用いた砂防堰堤によれば、充填材の形状を簡単にでき、製造が容易である。しかも、施工時の充填材の設置作業が容易である。
【図面の簡単な説明】
【００４６】
【図１】本発明の実施形態に係る土砂捕捉部材を備えた砂防堰堤において溝の前側の堰堤本体部の部分を取り除いた状態の正面図である。
【図２】図１の砂防堰堤において溝の上側の堰堤本体部の部分を取り除いた状態の上面図である。
【図３】図１のＩＩＩ−ＩＩＩ線断面図である。
【図４】図１の土砂捕捉部材の梁部材およびスペーサの斜視図である。
【図５】（ａ）は外形構成部材の構成部品の斜視図、（ｂ）はその正面図である。
【図６】図１の梁部材の端部付近の拡大図である。
【図７】図６のＶＩＩ−ＶＩＩ線断面図である。
【図８】図２の梁部材の端部付近の拡大図である。
【図９】図１の溝に鋼製型枠が埋め込まれる状態を示す説明図である。
【図１０】本発明の変形例であるスペーサを省略して梁部材のみを上下方向に並べて配置された土砂捕捉部材を備えた砂防堰堤の一部分解斜視図である。
【図１１】本発明の変形例であるスペーサの斜視図である。
【発明を実施するための形態】
【００４７】
以下、図面を参照しながら本発明の砂防堰堤用土砂捕捉部材（以下、土砂捕捉部材という）、およびそれを用いた砂防堰堤の実施形態についてさらに詳細に説明する。
【００４８】
図１〜３に示される砂防堰堤１は、いわゆる透過型砂防堰堤であり、通常時に流れる小礫や泥水は水路７を通して下流側に透過させて不要な堰き止めを回避する一方、土石流発生時には、前記小礫等に先行して流下する巨礫や流木を捕捉して下流側での被害を食い止める堰堤である。
【００４９】
具体的には、砂防堰堤１は、水路７を有する堰堤本体２と、水路７内部に取り付けられた土砂捕捉部材３と、蓋１４とを備えている。
【００５０】
堰堤本体２は、上下方向に延びる水路７を挟んでその左右両側に配置される堰堤本体部４、５と、両堰堤本体部４、５の下部同士を連結する連結部６とを有する。これら両堰堤本体部４、５および連結部６によって、上下方向に延びる水路７が形成されている。この水路７は、所定の横幅（例えば５ｍ）をもった上下方向に延びる有底スリット状をなしている。ここで、図２および図７には、水路７の上流側を矢印Ａの向きで表し、水路７の下流側を矢印Ｂの向きで表している。
【００５１】
水路７に面する両堰堤本体部４、５の内側面において、上下方向に延びる溝８がそれぞれ形成されている。
【００５２】
溝８は、図８〜９に示されるように、水路７側に開放された平面視においてコ字状を有している。すなわち、溝８は、水路７に連通するように側方に開いた側方開口８ａと、奥端側の内壁面８ｂとを有する。また、溝８は、上下方向に延び、互いに対向する上流側の内壁面８ｃと下流側の内壁面８ｄとを有している。
【００５３】
また、溝８には、図８〜９に示されるように、土砂捕捉部材３の一構成要素である、後述の鋼製型枠１５がその溝８内部の内壁面８ｂ、８ｃ、８ｄに沿って埋め込まれている。
【００５４】
蓋１４は、溝８の最上部を覆う位置に配置され、当該溝８の最上部を閉じている。蓋１４は、堰堤本体部４、５の上面にボルトなどによって固定されている。
【００５５】
また、図１〜３に示される堰堤本体２では、堰堤本体部４、５の上流側Ａおよび下流側Ｂには、それぞれ水路７の両側において増し打ちコンクリート部９が形成されている。
【００５６】
土砂捕捉部材３は、図１〜３に示されるように、堰堤本体２の水路７内部に取り付けられ、当該水路７中で土砂を捕捉する部材である。
【００５７】
具体的には、土砂捕捉部材３は、上下方向に並んで配置された複数本の梁部材１１と、上下方向に並ぶ梁部材１１の両端部１１ａ、１１ｂの間に介在する複数個のスペーサ１２と、複数枚の平板状の充填材１３ａ、１３ｂを有するシール部１３と、スペーサ１２を梁部材１１の両端部１１ａ、１１ｂに対する水平方向の変位を規制するピン１６（図４参照）と、鋼製型枠１５（図８〜９参照）とを備えている。
【００５８】
鋼製型枠１５は、鋼板などからなり、木製の型枠と比較して高い曲げ剛性および引張剛性を有する。鋼製型枠１５は、溝８の内壁面８ｂ、８ｃ、８ｄにそれぞれ沿うような形状、いわゆる略コ字状に形成された本体部１５ａと、当該本体部１５ａの両側の縁に接続され、溝８の側方開口８ａの上下方向に延びる縁を覆うように上下方向に延びるフランジ部１５ｂとを有している。
【００５９】
各梁部材１１は、水平方向に延び、その両端部１１ａ、１１ｂが溝８の内部に挿入される長さを有する。
【００６０】
各梁部材１１は、図４〜８に示されるように、円形鋼管からなる梁部材本体２１と、梁部材１１の両端部１１ａ、１１ｂの外形形状を構成する外形構成部材２０とを備えている。
【００６１】
梁部材本体２１としては、従来の土砂捕捉部材の梁部材として一般的に用いられる円形鋼管が用いられている。
【００６２】
外形構成部材２０は、梁部材本体２１の両端部２１ａ、２１ｂの周面に取り付けられることにより、梁部材１１の両端部１１ａ、１１ｂにおける上面２３、下面２４、水路７の上流側を向く上流側側面２５、および水路７の下流側を向く下流側側面２６を有する矩形の外形形状を構成する部材である。
【００６３】
具体的には、外形構成部材２０は、Ｌ字鋼板２２ａを有する４個の構成部品２２を有している。
【００６４】
すなわち、各構成部品２２は、図５（ａ）、（ｂ）に示されるように、Ｌ字鋼板２２ａと、当該Ｌ字鋼板２２ａの内側に接続された閉鎖体２２ｂとを有する。Ｌ字鋼板２２ａは、Ｌ字状断面を有する鋼板であり、その外側において、互いに直交する第１面２２ａ１と第２面２２ａ２とを有している。
【００６５】
閉鎖体２２ｂは、１つまたは複数の略三角形の鋼製の板状体または棒状体からなる。閉鎖体２２ｂは、Ｌ字鋼板２２ａの内側の面に接続された互いに直交する第１接続面２２ｂ１および第２接続面２２ｂ２と、円形鋼管からなる梁部材本体２１の両端部２１ａ、２１ｂの円弧状の外周面に接続された第３接続面２２ｂ３とを有する。
【００６６】
構成部品２２は、梁部材本体２１の両端部２１ａ、２１ｂの周囲に９０度おきに等間隔に４個配置され、それぞれ、閉鎖体２２ｂの第３接続面２２ｂ３が梁部材本体２１の両端部２１ａ、２１ｂの外周面に接続されている。すなわち、構成部品２２は、両端部２１ａ、２１ｂの上側および下側においてそれぞれ水路７の上流側および下流側に取り付けられている。これによって、４個の構成部品２２がそれぞれ有するＬ字鋼板２２ａの第１面２２ａ１および第２面２２ａ２によって、梁部材１１の両端部１１ａ、１１ｂの外形形状として、上面２３、下面２４、上流側側面２５および下流側側面２６を有する矩形の外形形状を構成する。言い換えれば、構成部品２２のＬ字鋼板２２ａは、矩形の外形形状の４つの角部を形成している。
【００６７】
さらに、閉鎖体２２ｂは、梁部材本体２１の軸方向において水路７側（すなわち、溝８から水路７へ出る側）を向く軸方向面２２ｂ４を有する。
【００６８】
軸方向面２２ｂ４は、図７に示されるように、上面２３、下面２４、上流側側面２５および下流側側面２６に囲まれた範囲内で、かつ、梁部材本体２１の外側に形成された空間部Ａ内に配置され、当該空間部Ａを閉じる。これにより、軸方向面２２ｂ４が、当該空間部Ａを通って異物が溝８内部へ浸入することを防ぐ閉鎖部として機能することが可能である。
【００６９】
また、梁部材１１は、図６〜７に示されるように、梁部材１１が水路７を流れる水流から圧力を受けたときに両端部１１ａ、１１ｂが当該両端部１１ａ、１１ｂよりも下流側に位置する溝８の内壁面に接触して当該内壁面から反力を受ける場合の当該反力を受ける補強部材３１を有する。
【００７０】
補強部材３１は、具体的には、円形鋼管からなる梁部材本体２１の内側に取り付けられた縦板３２と、横板３３とを有する。縦板３２および横板３３は、鋼板などの圧縮強度の高い部材からなる。縦板３２および横板３３のそれぞれの両端は、梁部材本体２１の内周面にそれぞれ固定されている。
【００７１】
上記のように梁部材１１の両端部１１ａ、１１ｂが構成されることにより、両端部１１ａ、１１ｂは、図４および図７に示されるように、梁部材１１の軸方向から見た場合において上面２３と下面２４と水路７の上流側を向く上流側側面２５と当該水路７の下流側を向く下流側側面２６を有する矩形の外形形状を有する。
【００７２】
図１〜３に示されるように、各梁部材１１の両端部１１ａ、１１ｂは、水路７の両側の溝８にそれぞれ挿入された状態で、当該土砂捕捉部材３は、水路７の内部に上下方向に並んで配置されている。さらに、上下方向に並ぶ梁部材１１の両端部１１ａ、１１ｂの間には、スペーサ１２が介在している。ここで、スペーサ１２の高さ寸法を適宜変えることにより、梁部材１１同士の間隔を変更することが可能である。
【００７３】
また、梁部材１１の両端部１１ａ、１１ｂが溝８に挿入された状態では、図７に示されるように、梁部材１１の両端部１１ａ、１１ｂの下流側側面２６は、溝８の下流側の内壁面８ｄに当接している。
【００７４】
複数のスペーサ１２は、梁部材１１が上下に配列された状態で当該梁部材１１の両端部１１ａ、１１ｂの間に介在する部品である。
【００７５】
スペーサ１２は、図４に示されるように、略直方体形状を有する。すなわち、スペーサ１２は、梁部材１１の軸方向から見た場合において、上面３６と下面３７と水路７の上流側を向く上流側側面３８と水路７の下流側を向く下流側側面３９を有する矩形の外形形状を有する。
【００７６】
さらに、スペーサ１２は、梁部材本体２１の軸方向において水路７側（すなわち、溝８から水路７へ出る側）を向く軸方向面４０を有する。軸方向面４０は、スペーサ１２の上面３６、下面３７、上流側側面３８および下流側側面３９に囲まれた空間部を閉じる。これにより、軸方向面４０は、当該空間部を通って異物が溝８内部へ浸入することを防ぐ閉鎖部として機能することが可能である。また、スペーサ１２は、軸方向面４０に対向する側（溝８の奥側）を向く奥側側面４１を有する。
【００７７】
スペーサ１２は、例えば鋼板やＨ型鋼などを組み合わせることにより、略直方体の外形形状になるように製造される。例えば、上面３６を構成する板状部分および下面３７を構成する板状部分を縦板３５によって連結したＨ型鋼４２を用意し、そのＨ型鋼４２における上面３６と下面３７との間の空間を鋼板によって外部から閉ざすことによって、図４に示されるような略直方体の外形形状のスペーサ１２が製造される。
【００７８】
スペーサ１２は、上下方向に並ぶ梁部材１１の両端部１１ａ、１１ｂの間に挟まれた状態で配置され、その状態では、梁部材１１の両端部１１ａ、１１ｂの上面２３に載置されているのみの状態になっている。すなわち、当該両端部１１ａ、１１ｂとスペーサ１２との間はボルトなどによって連結されていない状態であるので、スペーサ１２と梁部材１１の両端部１１ａ、１１ｂとは上下方向に容易に分離可能である。また、最下段の梁部材１１と水路７の下端との間にもスペーサ１２が配置されている。
【００７９】
なお、図４に示されるように、スペーサ１２と梁部材１１の両端部１１ａ、１１ｂとの間は、ピン１６によって簡易に結合されている。ピン１６は、スペーサ１２の上面３６および下面３７に形成された開口と梁部材１１側の外形構成部材２０の構成部品２２の水平方向に延びる第１面２２ａ１に形成された開口とに挿入されている。これにより、ピン１６は、スペーサ１２を梁部材１１の両端部１１ａ、１１ｂに対して、当該スペーサ１２の水平方向の変位が規制されるように連結される。このように、スペーサ１２と梁部材１１の両端部１１ａ、１１ｂとの間は、ピン１６によって容易に結合することが可能であり、またピン１６を取り外すことによって、容易に結合を解除することが可能であるので、土砂捕捉部材３の組立ておよび分解が容易である。
【００８０】
シール部１３は、図４および図６〜７に示されるように、複数の充填材、すなわち、第１充填材１３ａおよび第２充填材１３ｂを有する。
【００８１】
第１充填材１３ａおよび第２充填材１３ｂは、それぞれ平板形状の部材によって構成されている。
【００８２】
すなわち、第１充填材１３ａは、梁部材１１の両端部１１ａ、１１ｂの上流側側面２５に密着する梁部材側密着面１３ａ１と、当該上流側側面２５に対向する溝８の上流側の内壁面８ｃに密着することが可能な溝側密着面１３ａ２とを有する。
【００８３】
また、第２充填材１３ｂは、梁部材１１の両端部１１ａ、１１ｂの軸方向端部１１ｄに密着する梁部材側密着面１３ｂ１と、当該軸方向端部１１ｄに対向する溝８の奥側の内壁面８ｂに密着することが可能な溝側密着面１３ｂ２とを有する。
【００８４】
これら第１および第２充填材１３ａ、１３ｂとしては、水密性が高く、軽量で扱いが容易な発泡材（例えば発泡スチロール）等が好適であるが、特にその材質は限定されない。
【００８５】
上記のような平板形状の第１充填材１３ａおよび第２充填材１３ｂは、以下のようにして、溝８の内部に各梁部材１１の両端部１１ａ、１１ｂが挿入された状態で当該溝８の内部に充填される。
【００８６】
ここで、梁部材１１の両端部１１ａ、１１ｂの上面２３および下面２４は、スペーサ１２の下面３７および上面３６に当接しているので、梁部材１１の両端部１１ａ、１１ｂの上下における隙間はすでに塞がっている。さらに、梁部材１１の両端部１１ａ、１１ｂの下流側側面２６は、溝８の下流側の内壁面８ｄに当接しているので、両端部１１ａ、１１ｂの下流側の隙間もすでに塞がっている。したがって、その他の部分、すなわち、梁部材１１の両端部１１ａ、１１ｂの上流側の隙間（図７の隙間Ｂ１）、および両端部１１ａ、１１ｂの軸方向端部１１ｄにおける隙間（図６の隙間Ｃ１）を第１充填材１３ａおよび第２充填材１３ｂを塞げばよい。
【００８７】
具体的には、第１充填材１３ａおよび第２充填材１３ｂは、以下のように配置される。
【００８８】
第１充填材１３ａは、図７に示されるように、梁部材１１の両端部１１ａ、１１ｂの上流側側面２５に当接する位置、すなわち、上流側側面２５と溝８の上流側の内壁面８ｃとの隙間Ｂ１に配置されている。梁部材側密着面１３ａ１および溝側密着面１３ａ２が上流側側面２５および溝８の内壁面８ｃ（より詳細には、図８に示されるように内壁面８ｃを覆う鋼製型枠１５）にそれぞれ密着することにより、第１充填材１３ａは隙間Ｂ１を塞いでいる。また、第１充填材１３ａは、スペーサ１２と溝８の上流側の内壁面８ｃとの隙間Ｂ２にも配置されている。梁部材側密着面１３ａ１および溝側密着面１３ａ２は、スペーサ１２の上流側側面３８および溝８の内壁面８ｃにそれぞれ密着することにより、第１充填材１３ａは隙間Ｂ２を塞いでいる。
【００８９】
第２充填材１３ｂは、図６に示されるように、梁部材１１の両端部１１ａ、１１ｂの軸方向端部１１ｄと溝８の奥側の内壁面８ｂとの隙間Ｃ１に配置されている。梁部材側密着面１３ｂ１および溝側密着面１３ｂ２が軸方向端部１１ｄおよび溝８の内壁面８ｂ（より詳細には、図８に示されるように内壁面８ｂを覆う鋼製型枠１５）にそれぞれ密着することにより、第２充填材１３ｂは隙間Ｃ１を塞いでいる。また、第２充填材１３ｂは、スペーサ１２と溝８の奥側の内壁面８ｂとの隙間Ｃ２にも配置されている。梁部材側密着面１３ｂ１および溝側密着面１３ｂ２は、スペーサ１２の奥側側面４１および溝８の内壁面８ｂにそれぞれ密着することにより、第２充填材１３ｂは隙間Ｃ２を塞いでいる。
【００９０】
上記のように平板形状の第１充填材１３ａおよび第２充填材１３ｂを配置することによって、溝８の内部に各梁部材１１の両端部１１ａ、１１ｂと溝８の内壁面８ｂ、８ｃとの隙間Ｂ１、Ｃ１を確実に塞ぐことが可能である。それとともに、スペーサ１２と溝８の内壁面８ｂ、８ｃとの隙間Ｂ２、Ｃ２も確実に塞ぐことが可能である。
【００９１】
（特徴）
（１）
本実施形態の土砂捕捉部材３では、梁部材１１の両端部１１ａ、１１ｂが矩形の外形形状を有しているので、当該両端部１１ａ、１１ｂと水路７に面する両堰堤本体部４、５の内側面に形成された上下方向に延びる溝８との間にできる隙間Ｂ１、Ｃ１を埋める第１充填材１３ａおよび第２充填材１３ｂは、簡単な平板状の部材で構成することが可能になる。したがって、充填材１３ａ、１３ｂの設計および製造が容易になり、製造費を低減することが可能になる。
【００９２】
また、上記の土砂捕捉部材３の構成では、梁部材１１の両端部１１ａ、１１ｂの上面２３および下面２４は、スペーサ１２の下面３７および上面３６が当接することにより、梁部材１１の両端部１１ａ、１１ｂの上下における隙間をなくすことが可能である。また、梁部材１１の両端部１１ａ、１１ｂが上記の溝８にそれぞれ挿入された状態では、梁部材１１の両端部１１ａ、１１ｂの上流側側面２５および下流側側面２６は、溝８内部の対向する一対の内壁面８ｃ、８ｄと平行に延びるように配置されるので、梁部材１１の両端部１１ａ、１１ｂの上流側側面２５と溝８の上流側の内壁面８ｃという２つの平面の間にできる隙間Ｂ１は、平板形状の部材からなる第１充填材１３ａによって確実に塞ぐことが可能である。そして、梁部材１１の両端部１１ａ、１１ｂの下流側側面２６は溝８の内壁面８ｄに当接させることによって隙間をなくすことが可能である。
【００９３】
したがって、水路７に面する両堰堤本体部４、５の内側面に形成された溝８が設計通りに形成されていない場合には、梁部材１１の両端部１１ａ、１１ｂの上流側側面２５と溝８の内壁面８ｃとの隙間Ｂ１の幅に合うように平板形状の第１充填材１３ａの厚さを減じるように第１充填材１３ａを整形すればよい。また同様に、梁部材１１の両端部１１ａ、１１ｂと溝８の奥側の内壁面８ｂ（奥端面）との隙間Ｃ１の幅に合うように、平板形状の第２充填材１３ｂの厚さを減じるように第２充填材１３ｂを整形すればよい。したがって、充填材１３ａ、１３ｂの整形作業は容易になる。
【００９４】
（２）
梁部材１１が水路７を流れる水流から圧力を受けたときに、梁部材１１の両端部１１ａ、１１ｂが当該両端部１１ａ、１１ｂよりも下流側に位置する溝８の内壁面８ｄに接触し、当該内壁面から反力を受ける場合がある。そこで、本実施形態の土砂捕捉部材３は、補強部材３１を備えることによって、この反力を当該補強部材３１によって受けることが可能である。これによって、梁部材１１の両端部１１ａ、１１ｂの変形や破損を防ぐことが可能である。そのため、両端部１１ａ、１１ｂの変形防止のために、応力分散用のクッション材などを梁部材１１の両端部１１ａ、１１ｂの下流側に配置する必要がなくなる。また、梁部材１１の両端部１１ａ、１１ｂと溝８の内壁面との間にクッション材を配置するための隙間が不要になるので、その隙間に充填材を配置する必要もなくなる。
【００９５】
（３）
本実施形態の土砂捕捉部材３は、鋼製型枠１５を備えており、当該鋼製型枠１５が溝８の内壁面に沿って当該溝８に埋め込まれている。これにより、コンクリートを打設して溝８を有する堰堤本体部４、５を形成する際に、コンクリートの重みを型枠の剛性で受けることによって、型枠が溝８の内側に膨らむおそれが低減される。その結果、溝８を精度よく形成することが可能である。また、梁部材１１が水路７を流れる水流から圧力を受けたときに、梁部材１１の両端部１１ａ、１１ｂは、当該両端部１１ａ、１１ｂよりも下流側Ｂに位置する溝８の内壁面８ｄ（図８参照）を覆う鋼製型枠１５に接触する。この鋼製型枠１５によって、梁部材１１の両端部１１ａ、１１ｂから溝８の内壁面８ｄに作用する荷重は分散されるので、溝８の内壁面８ｄの破損や損傷を防ぐことが可能である。そのため、溝８の内壁面８ｄの破損防止のために、応力分散用のクッション材などを梁部材１１の両端部１１ａ、１１ｂの下流側Ｂに配置する必要がなくなる。また、梁部材１１の両端部１１ａ、１１ｂと溝８の内壁面８ｄとの間にクッション材を配置するための隙間が不要になるので、その隙間に充填材を配置する必要もなくなる。
【００９６】
（４）
本実施形態の土砂捕捉部材３では、第１充填材１３ａは、梁部材側密着面１３ａ１および溝側密着面１３ａ２を有するので、梁部材側密着面１３ａ１が梁部材１１の上流側側面２５に密着するとともに溝側密着面１３ａ２が当該上流側側面２５に対向する溝８の上流側の内壁面８ｃに密着することが可能である。その状態で、第１充填材１３ａは、当該上流側側面２５と当該溝８の上流側の内壁面８ｃとの隙間Ｂ１を確実に塞ぐことが可能である。
【００９７】
（５）
本実施形態の土砂捕捉部材３では、梁部材本体２１の両端部２１ａ、２１ｂの周面に取り付けられた外形構成部材２０が梁部材１１の両端部１１ａ、１１ｂにおける上面２３、下面２４、上流側側面２５および下流側側面２６を有する矩形の外形形状を構成するので、上記の項目（１）〜（４）の作用効果を奏しながら、梁部材本体２１として従来の土砂捕捉部材３の梁部材１１に用いられる円形鋼管を利用することが可能である。
【００９８】
（６）
本実施形態の土砂捕捉部材３では、外形構成部材２０は、梁部材本体２１の両端部２１ａ、２１ｂの４箇所、すなわち、当該上側および下側においてそれぞれ水路７の上流側および下流側に別々に取り付けられた複数の構成部品２２を有しているので、各構成部品２２を小型にすることが可能になる。しかも、各構成部品２２は、互いに直交する第１面２２ａ１と第２面２２ａ２とを有する簡単な構成にすることが可能である。そのため、各構成部品２２の製造および梁部材本体２１への取付作業が容易になる。しかも、構成部品２２が上記のように梁部材本体２１の両端部２１ａ、２１ｂの上側および下側においてそれぞれ上流側および下流側に取り付けられた状態では、これら構成部品２２の第１面２２ａ１および第２面２２ａ２によって、梁部材１１の両端部１１ａ、１１ｂの上面２３、下面２４、上流側側面２５および下流側側面２６を構成することが可能である。
【００９９】
（７）
本実施形態の土砂捕捉部材３では、外形構成部材２０の各構成部品２２の閉鎖部として機能する軸方向面２２ｂ４によって、梁部材１１の両端部１１ａ、１１ｂの上面２３、下面２４、上流側側面２５および下流側側面２６に囲まれた範囲内で、かつ、梁部材本体２１の外側に形成された空間部Ａを通って土砂などの異物が溝８内部へ異物の浸入を防ぐことが可能である。
【０１００】
（８）
本実施形態の土砂捕捉部材３では、梁部材１１の両端部１１ａ、１１ｂと溝８の奥側の内壁面８ｂ（すなわち、奥端面）との隙間Ｃ１に第２充填材１３ｂが配置されているので、溝８の最上部からこの隙間Ｃ１に土砂等の異物が浸入することを防止することが可能である。また、この第２充填材１３ｂが梁部材１１の両端部１１ａ、１１ｂを軸方向から支持することによって、梁部材１１の軸方向への変位を抑制することが可能である。
【０１０１】
（９）
本実施形態の土砂捕捉部材３では、梁部材１１の両端部１１ａ、１１ｂの間にスペーサ１２が介在するので、スペーサ１２の高さを選定することにより、梁部材１１の上下の間隔を任意に設定することが可能である。
【０１０２】
しかも、スペーサ１２が矩形の外形形状を有しているので、当該スペーサ１２と溝８との間にできる隙間Ｂ２、Ｃ２も平板状の部材からなる第１充填材１３ａおよび第２充填材１３ｂによって確実に塞ぐことが可能である。
【０１０３】
（１０）
本実施形態の土砂捕捉部材３では、スペーサ１２が梁部材１１の両端部１１ａ、１１ｂの上面２３に載置されているだけの構造であるので、スペーサ１２の設置が容易である。また、スペーサ１２を梁部材１１の両端部１１ａ、１１ｂに連結するための部材が不要になる。
【０１０４】
（１１）
本実施形態の土砂捕捉部材３では、規制部材であるピン１６がスペーサ１２を梁部材１１の両端部１１ａ、１１ｂに係止することによって、スペーサ１２における梁部材１１の両端部１１ａ、１１ｂに対する水平方向の変位を規制することが可能である。
【０１０５】
なお、スペーサ１２の水平方向の変位を規制できるものであれば、ピン１６以外の規制部材を採用してもよい。
【０１０６】
（１２）
本実施形態の砂防堰堤１では、土砂捕捉部材３の梁部材１１の両端部１１ａ、１１ｂが矩形の外形形状を有しているので、当該両端部１１ａ、１１ｂと水路７に面する両堰堤本体部４、５の内側面に形成された上下方向に延びる溝８との間にできる隙間Ｂ１、Ｃ１は、簡単な平板状の部材からなる複数の充填材１３ａ、１３ｂによって確実に塞ぐことが可能である。すなわち、梁部材１１の両端部１１ａ、１１ｂは、上記の溝８にそれぞれ挿入され、梁部材１１の両端部１１ａ、１１ｂの上流側側面２５および下流側側面２６は、溝８内部の対向する一対の内壁面８ｃ、８ｄと平行に延びるように配置されている。梁部材１１の両端部１１ａ、１１ｂの上流側側面２５と溝８の上流側の内壁面８ｃという２つの平面の間にできる隙間Ｂ１は、平板形状の部材からなる第１充填材１３ａによって確実に塞ぐことが可能である。そして、梁部材１１の両端部１１ａ、１１ｂの下流側側面２６は溝８の下流側の内壁面８ｃに当接しているので、隙間をなくすことが可能である。
【０１０７】
しかも、水路７に面する両堰堤本体部４、５の内側面に形成された溝８が設計通りに形成されていない場合には、梁部材１１の両端部１１ａ、１１ｂの上流側側面２５と溝８の内壁面８ｃとの隙間Ｂ１の幅に合うように平板形状の第１充填材１３ａの厚さを減じるように第１充填材１３ａを整形すればよい。また、梁部材１１の両端部１１ａ、１１ｂと溝８の奥側の内壁面８ｂ（奥端面）との隙間Ｃ１の幅に合うように、平板形状の第２充填材１３ｂの厚さを減じるように第１充填材１３ａを整形すればよい。したがって、充填材１３ａ、１３ｂの整形作業が容易になる。
【０１０８】
（１３）
本実施形態の砂防堰堤１では、第１充填材１３ａの梁部材側密着面１３ａ１が梁部材１１の上流側側面２５に密着するとともに溝側密着面１３ａ２が当該上流側側面２５に対向する溝８の上流側の内壁面８ｃに密着するので、その状態で、第１充填材１３ａは、当該上流側側面２５と当該溝８の上流側の内壁面８ｃとの隙間Ｂ１を確実に塞ぐことが可能である。
【０１０９】
（１４）
本実施形態の砂防堰堤１では、溝８の最上部は、蓋１４によって閉じられているので、溝８の最上部から溝８へ土砂等の異物が浸入することを抑えることが可能である。
【０１１０】
また、蓋１４は堰堤本体部４、５の上面に固定されているので、水流などの外力によって梁部材１１に対して上方向の荷重が作用した場合でも、蓋１４によって梁部材１１の上方への変位を抑えることが可能である。
【０１１１】
（変形例）
（Ａ）
上記実施形態の土砂捕捉部材３では、上下方向に並ぶ梁部材１１の両端部１１ａ、１１ｂの間にスペーサ１２が介在している構造を例に挙げて説明しているが、本発明はこれに限定されるものではなく、図１０に示されるように、スペーサ１２を省略して梁部材１１の両端部１１ａ、１１ｂを互いに当接させながら梁部材だけを上下方向に並べてもよい。この場合も、両端部１１ａ、１１ｂは、矩形の外形形状を有するので、上下方向に並ぶ梁部材１１の両端部１１ａ、１１ｂを上下方向に延びる溝８に挿入させた状態で両端部１１ａ、１１ｂの上面２３および下面２３を互いに当接させることによって、梁部材１１だけでも安定して積み上げることが可能である。しかも、スペーサ１２を省略することによって、梁部材１１の両端部１１ａ、１１ｂの上下における隙間（いわゆる、梁部材間隔）をなくすことが可能である。
【０１１２】
（Ｂ）
上記実施形態のスペーサ１２は、略直方体形状の外形形状を有しているが、本発明はこれに限定されるものではなく、図１１に示されるように、Ｈ型鋼４２と複数枚の補強用鋼板（いわゆる、スチフナ）４５〜４７とを組み合せることによってより簡易な構造のスペーサを用いてもよい。このスペーサ１２では、上面３６を構成する板状部分および下面３７を構成する板状部分の間を縦板３５で連結したＨ型鋼４２を用意し、上面３６と下面３７との間において、複数枚の補強用鋼板４５〜４７が溝８の入口側Ｄから奥端側Ｅにかけて互いに平行に並んで配置されている。これら補強用鋼板４５〜４７によって、スペーサ１２内部の空間を通って土砂等の異物が溝８内部に浸入することを防ぐことが可能である。
【０１１３】
（Ｃ）
上記の実施形態の砂防堰堤１では、溝８に鋼製型枠１５が埋め込まれた構造が示されているが、本発明はこれに限定されるものではなく、鋼製型枠１５を省略してもよい。
【０１１４】
（Ｄ）
上記実施形態では、２つの充填材、すなわち、梁部材１１の両端部１１ａ、１１ｂの上流側側面２５に密着する第１充填材１３ａ、および梁部材１１の両端部１１ａ、１１ｂの軸方向端部１１ｄに密着する第２充填材１３ｂを備えた例が示されているが、本発明はこれに限定されるものではなく、少なくとも、第１充填材１３ａが、梁部材の両端部１１ａ、１１ｂの上流側側面２５に当接する位置に配置されていればよい。なお、これに対応して、梁部材１１は、円形鋼管からなる梁部材本体２１と、充填材に当接する上流側側面２５のみを有する外形構成部材２０とを備えた構成にしてもよい。
【符号の説明】
【０１１５】
１  砂防堰堤
２  堰堤本体
３  土砂補足部材
４、５  堰堤本体部
７  水路
８  溝
１１  梁部材
１１ａ、１１ｂ  端部
１２  スペーサ
１３ａ  第１充填材
１３ｂ  第２充填材
１４  蓋
１５  鋼製型枠
１６  ピン（規制部材）
２０  外形構成部材
２１  梁部材本体
２２  構成部品
２２ａ１  第１面
２２ａ２  第２面
２３  上面
２４  下面
２５  上流側側面
２６  下流側側面
３１  補強部材
【図１】
0005960671.tif 000002
【図２】
0005960671.tif 000003
【図３】
0005960671.tif 000004
【図４】
0005960671.tif 000005
【図５】
0005960671.tif 000006
【図６】
0005960671.tif 000007
【図７】
0005960671.tif 000008
【図８】
0005960671.tif 000009
【図９】
0005960671.tif 000010
【図１０】
0005960671.tif 000011
【図１１】
0005960671.tif 000012